(57)【要約】      （修正有）【課題】走行中における走行風や振動、及びマイクに対する手や肩の不用意な接触によるマイクロフォンのずれや落下の防止。【解決手段】オープンフェースヘルメットＡの装着者Ｄの口元Ｄ１付近にマイクロフォンＭを保持するための保持装置１であり、保持装置１は、装着者Ｄに対して緩衝性能を有し、且つ変形応力に対する反発復元力が生じる発泡性合成樹脂材によって、口元Ｄ１付近からオープンフェースヘルメットＡの最外層を構成する帽体Ｂの左側部ＢＬにわたるように形成されている。【選択図】図１
2014009428.tif 000002
【特許請求の範囲】
【請求項１】
オープンフェースヘルメットを装着した装着者の口元付近にマイクロフォンを保持するための保持装置であり、前記保持装置は、前記装着者に対して緩衝性能を有し、且つ変形応力に対する反発復元力が生じる発泡性合成樹脂材によって、前記口元付近から前記オープンフェースヘルメットの最外層を構成する帽体の左右側部の一方側もしくは両側にわたるように形成されているマイクロフォンの保持装置。
【請求項２】
前記保持装置は、前記口元付近に前記マイクロフォンを保持する保持部と、前記帽体の左右側部の一方側もしくは両側に支持される支持部と、前記保持部と前記支持部を連結するアーム部とを備え、前記保持部と前記支持部と前記アーム部とが一体形成されている請求項１記載のマイクロフォンの保持装置。
【請求項３】
オープンフェースヘルメットを装着した装着者の口元付近にマイクロフォンを保持する保持部と、ヘルメットの最外層を構成する帽体の左右側部の一方側もしくは両側に支持される支持部と、前記保持部と前記支持部の間に配置されるアーム部とを備え、前記保持部と前記支持部と前記アーム部は、変形応力に対する反発復元力が生じる素材を用いて形成され、且つ該保持部と該支持部と該アーム部とが一体になるように、前記装着者に対して緩衝性能を有し、且つ柔軟性を有する発泡性合成樹脂材で覆われているマイクロフォンの保持装置。
【請求項４】
前記支持部が、ベースプレートに支持され、前記ベースプレートは、長手方向が前記帽体の前後方向に沿う長孔を有し、該長孔を貫通して前記帽体に軸支される案内軸によって、前後スライド自在に支持される請求項２又は３記載のマイクロフォンの保持装置。
【請求項５】
前記支持部が、前記帽体の左右方向に沿う軸心を回転中心として回転自在に軸支される軸支部を備えている請求項２乃至４何れか１項記載のマイクロフォンの保持装置。
【請求項６】
前記請求項１乃至請求項５何れか１項記載のマイクロフォンの保持装置を備えたオープンフェースヘルメット。
【発明の詳細な説明】
【技術分野】
【０００１】
本発明は、自動車や自動二輪車等の各種移動車両及びモーターボート等の船舶、更には、自転車等の移動機具に乗る際に被るオープンフェースヘルメットに装着されるマイクロフォンの保持装置及びオープンフェースヘルメットに関する。
【背景技術】
【０００２】
オープンフェースヘルメットに装着するマイクロフォン（以下「マイク」という）は、下記、特許文献１に記載されているように、オープンフェースヘルメットの帽体に挟み付けるクリップと、このクリップに取付けられたフレキブルチューブと、このフレキシブルチューブに取付けられたマイク本体と、フレキシブルチューブに内挿されて、マイク本体と接続端子とにわたって配線されたコードから構成されたものが知られている。
【先行技術文献】
【特許文献】
【０００３】
【特許文献１】特開２００２−２７０６９号公報
【発明の概要】
【発明が解決しようとする課題】
【０００４】
特許文献１の従来技術によると、クリップをヘルメットに挟み付けることによって、マイクをヘルメットに装着でき、更に、フレキシブルチューブを変形させることによって、マイク本体を好適な位置に設定することができる。
【０００５】
しかしながら、この特許文献１の従来技術では、走行中の走行風や振動、或いはマイクに対する手や肩の不用意な接触によって、クリップ、またはフレキシブルチューブの位置がずれて本体の設定位置が変わってしまうこと、或いはクリップが外れてマイクがヘルメットから落下することによって、音声入力を適正に行うことができなくなるということがあった。
【０００６】
本発明は、このような問題に対処することを課題の一例とするものである。すなわち、走行中における走行風や振動、或いはマイクに対する手や肩の不用意な接触によるマイクのずれや落下を防止できること、マイクのずれや落下を防止することで、走行中における音声入力を適正に行うことができること、等が本発明の目的である。
【課題を解決するための手段】
【０００７】
このような目的を達成するために、本発明によるマイクロフォンの保持装置及びオープンフェースヘルメットは、以下の構成を少なくとも具備するものである。
【０００８】
オープンフェースヘルメットを装着した装着者の口元付近にマイクロフォンを保持するための保持装置であり、前記保持装置は、前記装着者に対して緩衝性能を有し、且つ変形応力に対する反発復元力が生じる発泡性合成樹脂材によって、前記口元付近から前記オープンフェースヘルメットの最外層を構成する帽体の左右側部の一方側もしくは両側にわたるように形成されているマイクロフォンの保持装置である。
【０００９】
前記保持装置は、前記口元付近に前記マイクロフォンを保持する保持部と、前記帽体の左右側部の一方側もしくは両側に支持される支持部と、前記保持部と前記支持部を連結するアーム部とを備え、前記保持部と前記支持部と前記アーム部とが一体形成されていることが好ましい。
【００１０】
オープンフェースヘルメットを装着した装着者の口元付近にマイクロフォンを保持する保持部と、ヘルメットの最外層を構成する帽体の左右側部の一方側もしくは両側に支持される支持部と、前記保持部と前記支持部の間に配置されるアーム部とを備え、前記保持部と前記支持部と前記アーム部は、変形応力に対する反発復元力が生じる素材を用いて形成され、且つ該保持部と該支持部と該アーム部とが一体になるように、前記装着者に対して緩衝性能を有し、且つ柔軟性を有する発泡性合成樹脂材で覆われているマイクロフォンの保持装置である。
【００１１】
前記支持部が、ベースプレートに支持され、前記ベースプレートは、長手方向が前記帽体の前後方向に沿う長孔を有し、該長孔を貫通して前記帽体に軸支される案内軸によって、前後スライド自在に支持されていることが好ましい。
【００１２】
前記支持部が、前記帽体の左右方向に沿う軸心を回転中心として回転自在に軸支される軸支部を備えていることが好ましい。
【００１３】
前記マイクロフォンの保持装置を備えたオープンフェースヘルメットである。
【発明の効果】
【００１４】
このような特徴を有することで本発明は、以下の効果を奏する。すなわち、保持装置を、変形応力に対する反発復元力が生じる発泡性合成樹脂材によって、装着者の口元付近からヘルメットの最外層を構成する帽体の左右側部の一方側もしくは両側にわたるように形成したので、走行中における走行風や振動、或いはマイクに対する手や肩の不用意な接触によるマイクのずれや落下を防止でき、このマイクのずれや落下を防止することで、走行中における音声入力を適正に行うことができる。
【図面の簡単な説明】
【００１５】
【図１】本発明の実施形態に係る保持装置を備えたオープンフェースヘルメットの側面図。
【図２】同、正面図。
【図３】図１の（III）−（III）線断面図。
【図４】図３の（IV）−（IV）線断面図。
【図５】本発明の第２実施形態に係る保持装置の断面図。
【図６】本発明の第３実施形態に係る保持装置を備えたオープンフェースヘルメットの正面図。
【発明を実施するための形態】
【００１６】
以下で説明するオープンフェースヘルメットとは、装着者の頭部及び頬部を覆い、装着者の顔面が露出するタイプのヘルメットであって、頭部のみを覆う半球タイプのヘルメットは含まない。
【００１７】
以下で説明する帽体とは、オープンフェースヘルメットの最外層を構成するものであり、例えば、強化繊維材（ガラス繊維、カーボン繊維等）に、熱硬化性樹脂材（エポキシ樹脂材、フェノール樹脂材等）を含浸させた強化繊維樹脂材（ＧＦＲＰ、ＣＦＲＰ等）又は、熱可塑性樹脂材（ポリカーボネート等）を用いて、オープンフェースヘルメット形状に成型したものである。
【００１８】
以下で説明する左右とは、装着者の頬部に対面する方向であり、前後とは、装着者の顔面及び後頭部と対面する方向である。
【００１９】
以下で説明する前記装着者に対して緩衝性能を有し、且つ変形応力に対する反発復元力が生じる発泡性合成樹脂材、及び前記装着者に対して緩衝性能を有し、且つ柔軟性を有する発泡性合成樹脂材とは、ポリウレタン、ポリスチレン、ポリエチレン、ポリプロピレン、フェノール樹脂、ポリ塩化ビニル、ユリア樹脂、シリコーン、ポリイミド、メラミン樹脂等の合成樹脂材を発泡化したものが例示できる。
【００２０】
以下で説明する変形応力とは、保持装置を「しなり」、「たわみ」、「ねじれ」等のように曲げ変形させる力であり、この変形応力に対する反発復元力とは、保持装置を前述の「しなり」、「たわみ」、「ねじれ」等の曲げ変形から元の形状に復元させる力である。
方向に対する
【００２１】
以下、本発明の第１実施形態に係る保持装置１を備えたオープンフェースヘルメット（以下、「ヘルメット」という）Ａを、図１〜図４に基づいて説明する。尚、以下で説明する各実施形態は、本発明を限定するものではない。
【００２２】
ヘルメットＡは、強化繊維樹脂材でオープンフェース型に成型された帽体Ｂの頭部Ｂ１の内側面に、発泡スチロール材、もしくは、この発泡スチロール材と同等の衝撃吸収性能を有する素材を用いて成型された衝撃吸収ライナー（図示せず）と、この衝撃吸収ライナーの内側に配設されるウレタン材等でなる頭部パッド（図示せず）と、帽体Ｂの頬部に対応する左右両側部ＢＬ、ＢＲの内側面に着脱自在に装着された頬パッドＣＬ、ＣＲ（図２参照）と、左側部ＢＬに軸支された保持装置１と、を備えている。
【００２３】
保持装置１は、ヘルメットＡの装着者Ｄの口元Ｄ１付近にマイクロフォン（以下「マイク」という）Ｍのマイク本体Ｍ１を保持する保持部２と、帽体Ｂの左側部ＢＬに軸支される支持部３と、保持部２と支持部３とを連結するアーム部４とが、装着者Ｄに対して緩衝性能を有するとともに、保持装置１に作用する変形応力に対する反発復元力が生じる発泡性合成樹脂材を用いて一体形成されている。
【００２４】
この保持装置１は、帽体Ｂの左側部ＢＬに対して前後方向スライド自在に支持されるベースプレート５に支持部３を軸支し、ベースプレート５を帽体Ｂの左側部ＢＬに取付けることによって、ヘルメットＡに装着するようにされ、ヘルメットＡに装着された状態において、マイク本体Ｍ１を装着者Ｄの口元Ｄ１付近に位置させることができるように、支持部３からアーム部４を経て保持部２まで回り込むような形状に形成されている。
【００２５】
保持部２は、装着者Ｄ側に、マイクＭにおけるマイク本体Ｍ１を埋め込むように保持する保持孔２０と、マイク本体Ｍ１に接続されたコードＭ２を埋め込むように保持する保持溝２１が形成されている。
【００２６】
保持孔２０は、マイク本体Ｍ１がずれないように適合して埋め込み可能な形状に形成されている。保持溝２１は、保持孔２０の側部から連続して、コードＭ２がずれないように適合して埋め込み可能な形状に形成されている。この保持溝２１は、保持部２からアーム部４を経て、支持部３の下端３０まで、埋め込んだコードＭ２が後端３０から保持装置１の外部に取り出せるように形成されている。
【００２７】
マイクＭは、コードＭ２と、コードＭ２の一端側に接続されたマイク本体Ｍ１と、コードＭ２の他端側に接続された端子Ｍ３とからなり、端子Ｍ３を通信機器に接続するようになっている。
【００２８】
支持部３は、厚み方向に貫通形成した軸支部６が形成されており、この軸支部６に支軸７を貫通させ、この支軸７を支持部３と厚み方向で重なり合わせたベースプレート５に取付けることによって、保持装置１をベースプレート５に対して支軸７を回転中心として回転自在に軸支するようになっている。
【００２９】
アーム部４は、装着者Ｄの口元Ｄ１に位置する保持部２から、ベースプレート５を介して左側部ＢＬに支持された支持部３から装着者Ｄの口元Ｄ１に位置する保持部２にわたるように湾曲した形状に形成されている。
【００３０】
ベースプレート５は、厚み方向に開孔された上下２本の長孔５０、５１と、軸支部６と同軸に開孔された軸支孔５２とが形成された板状体であって、上下方向の端部にはアーム部４の回転を制限する段差５４、５５が形成されている。
【００３１】
段差５４、５５は、ベースプレート５の前方側にその後端が支軸７よりも前方側に位置するように配置され、図４に示すように、保持部２を装着者Ｄの口元Ｄ１に位置させるアーム部４の状態（図１参照）を、アーム部４の上下から挟むようにして保持することによって、走行時におけるアーム部４の回転を規制できるようになっている。
【００３２】
このようなベースプレート５を、左側部ＢＬに対して厚み方向で重なり合わせるとともに、長孔５０、５１の長手方向が前後方向となるように配置することによって、支軸７の軸心が帽体Ｂの左右方向に沿い、このような軸心方向とする支軸７を回転中心として支持部３が回転することによって、保持部２を装着者Ｄの口元Ｄ１側と帽体Ｂの頭部Ｂ１側とにわたり移動させることができる。
【００３３】
ベースプレート５に対する支持部３の軸支は、走行風や振動による回転やがたつきを防止し、しかも、支持部３の回転に支障がない程度の回転抵抗が生じるようにされている。
【００３４】
保持部２の帽体Ｂの頭部Ｂ１への移動は、保持部２が帽体Ｂの外側方向（帽体から離間する方向）に移動するとともに、支持部３がベースプレート５の段差部５４を乗り越え、更に保持部２が帽体Ｂの前方縁Ｂ２を乗り越えるように、手動によってアーム部４を曲げ変形させながら支持部３を回転させることによって行うことができるようにされている。
【００３５】
また、保持部２が帽体Ｂの頭部Ｂ１に至ったときに手を放すと、曲げ変形していたアーム部４に元の形状に戻ろうとする反発復元力が作用し、この反発復元力で保持部２を帽体Ｂに押し付けるようにすることによって、保持部２が帽体Ｂの頭部Ｂ１に位置した状態の保持装置１の、走行風や振動による回転やがたつきを防止することができるようになっている。
【００３６】
ベースプレート５は、ねじ状の案内軸５３を、長孔５０、５１を貫通して左側部ＢＬに螺合締め付けすることによって、左側部ＢＬに軸支され、案内軸５３を緩めることで、前後方向にスライド可能にされ、スライドさせることによって、保持部２を装着者Ｄの口元Ｄ１側と口元Ｄ１から離れる方向とにわたって移動させることができる。また、ベースプレート５は、案内軸５３を左側部ＢＬから取り外すことによって、保持装置１ごと左側部ＢＬから取り外すことができる。
【００３７】
このような保持装置１を備えたヘルメットＡによると、マイクＭを保持する保持装置１が左側部ＢＬに軸支されたベースプレート５に軸支されているので、走行中における走行風や振動によって、マイクＭのずれや落下を防止できる。
【００３８】
しかも、この保持装置１は、保持装置１に作用する変形応力に対する反発復元力が生じる発泡性合成樹脂材を用いて形成されているため、走行中における走行風や振動、或いは保持装置１に対する手や肩の不用意な接触によって、保持部２が口元から離れる方向の力が作用しても、保持装置１の曲げ変形によって、その力を逃がすことができるので、保持装置１の破損やずれ及び落下等を防ぐことができ、保持装置１の曲げ変形によって保持部２が一旦口元から離れても、この曲げ変形からの反発復元力によって、保持部２を口元位置に戻すことができる。
【００３９】
したがって、この保持装置１は、この保持装置１に対する手や肩の不用意な接触による曲げ変形によって、破損やずれ及び落下等を防ぐことができ、この曲げ変形からの反発復元力によって、保持部２を口元Ｄ１位置に戻すことができるので、走行中における音声入力を適正に行うことができる。
【００４０】
また、保持装置１を軸支したベースプレート５が、左側部ＢＬに対して前後スライド自在に軸支されているので、案内軸５３の軸支位置と長孔５０、５１の長手方向と幅方向で特定される範囲でマイク本体Ｍ１を装着者Ｄの口元Ｄ１付近で位置調整をすることができる。
【００４１】
また、保持装置１が、ベースプレート５に対して回転自在に軸支されているので、保持装置１を回転させることによって、ヘルメットＡの着脱時において、保持装置１が邪魔にならない位置（例えば、保持部２が帽体Ｂと対面する位置）に移動させることができる。
【００４２】
また、マイク本体Ｍ１を装着者Ｄの口元Ｄ１に戻す場合は、保持装置１を帽体Ｂの外側方向（帽体から離間する方向）に移動しながら回転させて、ベースプレート５上の段差５４、５５に挟まれた場所に戻すことによって、常に装着者Ｄの口元Ｄ１に位置調整された状態を確保することができる。
【００４３】
また、保持装置１が、装着者Ｄに対して緩衝性能を有する発泡性合成樹脂材を用いて形成されているため、保持装置１が大きく曲り変形して装着者Ｄに接触した場合でも、その緩衝性能によって、装着者Ｄに接触による影響を与えることがない。しかも、発泡性合成樹脂材の特徴として、比較的、軽量であるとともに、安価であるため、保持装置１の軽量化ができるとともに、材料コストを下げることができる。そして、保持装置１が軽量であるため、ヘルメットＡの重量増を小さくすることができ、これによって、装着者Ｄに対するヘルメットＡの良好な被り心地を確保することができる。
【００４４】
図４は、第２実施形態の保持装置１’の構成図である。尚、保持装置１と重複する部位についての説明は、同符号を付けることにより省略する。
【００４５】
保持装置１’は、前述の保持装置１と同形状に形成したものであり、変形応力に対する反発復元力が生じる硬質の合成樹脂材を用いて、支持部３からアーム部４を経て保持部２に至るように形成した板状の心材１０の周りに、装着者Ｄに対して緩衝性を有するとともに、柔軟性を有する発泡性合成樹脂材を用いた被覆材１１を被覆したものである。
【００４６】
このような保持装置１’は、保持装置１と同様にベースプレート５を介してヘルメットＡに取付けることができ、ヘルメットＡに取付けることで保持装置１と同じ効果が期待できる。
【００４７】
更に、この保持装置１’は、硬質の合成樹脂材による心材１０の剛性によって、その形状を保持しているので、図示するように、保持装置１’の厚みを前述の保持装置１の厚みに比べて薄くすることができる。
【００４８】
また、心材１０の剛性によって、曲げ変形方向の力に対して優れた耐久性を備えることができる。
【００４９】
図５は、第３実施形態の保持装置１”を備えたヘルメットＡの構成図である。尚、保持装置１と重複する部位についての説明は、同符号を付けることにより省略する。
【００５０】
保持装置１”は、帽体Ｂの左右両側部ＢＬ、ＢＲにわたって取付けられるように形成されたものであり、装着者側から見て中央部に配置された保持部２の左側に、左側部ＢＬにベースプレート５Ｌを介して支持される支持部３Ｌと、支持部３Ｌと保持部２とを連結するアーム部４Ｌとが形成され、保持部２の右側に、右側部ＢＲにベースプレート５Ｒを介して支持される支持部３Ｒと、支持部３Ｒと保持部２とを連結するアーム部４Ｒとが形成されている。
【００５１】
また、この保持装置１”には、２本の保持溝２１Ｌ、２１Ｒが形成されており、保持孔２０の左側部に保持溝２１Ｌが連設され、保持孔２０の右側部に保持溝２１Ｒが連設されている。すなわち、コードＭ２を帽体Ｂの左右何れからも保持装置１”から取り出すことができる。
【００５２】
このような保持装置１”は、保持装置１と同様にベースプレート５Ｌ、５Ｒを介してヘルメットＡに取付けることができ、ヘルメットＡに取付けることで保持装置１と同じ効果が期待できる。
【００５３】
保持装置１”は、保持装置１’のように、硬質の合成樹脂材を用いて形成した板状の心材１０の周りに、発泡性合成樹脂材を用いた被覆材１１を被覆したものとしてもよい。
【００５４】
保持装置１、１’、１”は、保持部２の位置を装着者Ｄの口元Ｄ１付近に位置させた状態で、帽体Ｂに対して不動に固定してもよいし、帽体Ｂに対して直接取付けてもよい。また、保持装置１、１’は、右側部ＢＲに取付けてもよい。
【００５５】
尚、装着者Ｄに対して緩衝性能を有し、且つ変形応力に対する反発復元力が生じる素材としては、発泡性合成樹脂材以外に、ＡＢＳ樹脂、硬質ゴム材、軟質ゴム材が例示できる。ここで、硬質ゴム材としては、エボナイトゴムが例示でき、軟質ゴム材としては、エラストマーゴム、ウレタンゴム、シリコンゴム等が例示できる。
【００５６】
また、保持装置１、１”は、少なくとも、アーム部４、４Ｌ、４Ｒが発泡性合成樹脂材で形成されたものであってもよい。また、保持装置１’は、その全ての範囲に発泡性合成樹脂材を覆ったものであるが、少なくとも、アーム部４が発泡性合成樹脂材で覆われているものであってもよい。
【符号の説明】
【００５７】
Ａ：ヘルメット（オープンフェースヘルメット）  Ｂ：帽体  ＢＬ：左側部
ＢＲ：右側部  Ｍ：マイク（マイクロフォン）  １：保持装置  １’：保持装置
１”：保持装置  ２：保持部  ３：支持部  ３Ｌ：支持部  ３Ｒ：支持部
４：アーム部  ４Ｌ：アーム部  ４Ｒ：アーム部  ５：ベースプレート
５Ｌ：ベースプレート  ５Ｒ：ベースプレート  ６：軸支部  ７：支軸
１０：心材  １１：被覆材  ５０：長孔  ５１：長孔  ５２：案内軸
【図１】
2014009428.tif 000003
【図２】
2014009428.tif 000004
【図３】
2014009428.tif 000005
【図４】
2014009428.tif 000006
【図５】
2014009428.tif 000007
【図６】
2014009428.tif 000008